【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  近接端および遠方端を持つ細長いカテーテル本体と、
前記カテーテル本体中に配置され、近接端および遠方端を有し前記カテーテル本体に関して回転式である駆動ケーブルと、
前記駆動ケーブルの遠方端に配置された操作器材と、
前記カテーテル本体内の遠方端近傍に固定式に配置され、空洞シリンダーを有したステーターと、
前記駆動ケーブルの遠方端近傍に配置され、および前記操作器材と電気的に連通し、前記空洞シリンダー内に回転式に配置されロッドを有するローターとを有し、
前記ステーターとローターは誘導結合器を形成する、カテーテルアセンブリ。
【請求項２】  ステーターはフェライト材料で作られ、更に空洞シリンダーの内側表面上に配置された第一電気伝導コイルを有し、ローターはフェライト材料で作られ、更にロッドの外側表面上に配置された第二電気伝導コイルを有することを特徴とする請求項１に記載のカテーテルアセンブリ。
【請求項３】  操作器材は容量性リアクタンスを持ち、ステーターおよびローターは対抗する表面積を持ち、ここでそれぞれのステーターおよびローターの表面積は、第一および第二電気伝導コイルのそれぞれの直径、大きさおよび捲き数と共に誘導結合器の誘導性リアクタンスの値が容量性リアクタンスに実質的に等しいように選択されることを特徴とする請求項２に記載のカテーテルアセンブリ。
【請求項４】  操作器材は超音波トランスジューサを有することを特徴とする請求項１に記載のカテーテルアセンブリ。
【請求項５】  さらに、第一電磁器材電気的に結合された遠方端および信号トランシーバへの電気的接続用に構成された近接端を持つ導体を有することを特徴とする請求項１に記載のカテーテルアセンブリ。
【請求項６】  導体はカテーテル本体内部に配置されることを特徴とする請求項５に記載のカテーテルアセンブリ。
【請求項７】  前記ステーターは第一電気伝導コイルを有し、
前記ローターは第二電気伝導コイルを有し、
第一および第二電気伝導コイル間の捲き数比は導体から誘導結合器を見た入力インピーダンスが導体の特性インピーダンスと実質的に等しいように選択される請求項５に記載のカテーテルアセンブリ。
【請求項８】  近接端および遠方端を持つ細長いカテーテル本体と、
近接端および遠方端を持ち、およびカテーテル本体に関して回転式である、カテーテル中に配置された駆動ケーブルと、
駆動ケーブルの遠方端近傍に配置された第一および第二操作器材と、
駆動ケーブルの遠方端近傍に配置された第一回転式電磁器材と誘導的に結合されるカテーテルの遠方端近傍に配置された第一静止電磁器材を有する第一誘導結合器と、
駆動ケーブルの遠方端近傍に配置された第二回転式電磁器材と誘導的に結合されるカテーテルの遠方端近傍に配置された第二静止電磁器材を有する第二誘導結合器と、
を有し、第一回転式電磁器材は第一操作器材と電気的に連繋しており、第二回転式電磁器材は第二操作器材と電気的に連繋していることを特徴とするカテーテルアセンブリ。
【請求項９】  第一および第二静止電磁器材はそれぞれカテーテル本体内に固定して配置された第一および第二ステーターを有し、
第一および第二回転式電磁器材はそれぞれ駆動ケーブルに機械的に結合された第一および第二ローターを有することを特徴とする請求項８に記載のカテーテルアセンブリ。
【請求項１０】  第一および第二ステーターは一般に空洞シリンダーを有し、
第一および第二ローターはそれぞれの空洞シリンダー内に回転式に配置されたロッドを有することを特徴とする請求項８に記載のカテーテルアセンブリ。
【請求項１１】  第一および第二操作器材は超音波トランスジューサを有することを特徴とする請求項８に記載のカテーテルアセンブリ。
【請求項１２】  カテーテル本体は、軸、カテーテル本体と軸関係に配列された方向に伝搬する超音波を送信するように構成された第一操作器材、およびカテーテル本体の軸に対して選択された角度で伝搬する超音波を送信するように構成された第二操作器材を形成することを特徴とする請求項１１に記載のカテーテルアセンブリ。
【請求項１３】  第一静止電磁器材に電気的に結合された遠方端および第一信号トランシーバに電気的に結合されるように構成された近接端を持つ第一導体と、
第二静止電磁器材に電気的に結合された遠方端および第二信号トランシーバに電気的に結合されるように構成された近接端を持つ第二導体を有することを特徴とする請求項８に記載のカテーテルアセンブリ。
【請求項１４】  第一および第二導体はカテーテル本体内部に配置されることを特徴とする請求項１３に記載のカテーテルアセンブリ。
【請求項１５】  誘導結合器は第二誘導結合器から電気的に絶縁されることを特徴とする請求項９に記載のカテーテルアセンブリ。
【請求項１６】  更に、第一ステーターに突き当たり、第一ローターを収納する第一凹部を形成する遠方表面と、
第二ステーターに突き当たり、第二ローターを収納する第二凹部を形成する近接表面を有し、カテーテルの遠方端近傍に配置された絶縁ディスクを有する、ことを特徴とする請求項１５に記載のカテーテルアセンブリ。
【請求項１７】  細長い主カテーテル内に移動可能に配置された望遠鏡式カテーテルを持つ細長い主カテーテルであって、前記主カテーテルと前記望遠鏡式カテーテルは、それぞれ前記望遠鏡式カテーテルの長手方向へ移動するドライブユニットに取り付ける近接端を備え、
望遠鏡式カテーテル内に配置され、近接端と遠方端を持ち、望遠鏡式カテーテル本体に対して回転可能である駆動ケーブルと、
駆動ケーブルの遠方端上に配置された操作器材と、
望遠鏡式カテーテルの遠方端近傍に配置された第一電磁器材と、
駆動ケーブルの遠方端近傍に配置され、操作器材と電気的に連繋する第二電磁器材を有し、第一および第二電磁器材は誘導結合器を形成することを特徴とするカテーテルアセンブリ。
【請求項１８】   第一電磁器材はカテーテル本体に固定して配置されたステーターを有し、第二電磁器材は駆動ケーブルに機械的に結合されたローターを有することを特徴とする請求項１７に記載のカテーテルアセンブリ。
【請求項１９】  操作器材は超音波トランスジューサを含むことを特徴とする請求項１８に記載のカテーテルアセンブリ。
【請求項２０】  近接端および遠方端を有しさらに外壁を有する細長いカテーテル本体と、
細長いカテーテル本体上に配置された非回転式遠方操作器材と、
カテーテル本体の長手方向に実質的に沿った前記外壁内に突出され、操作器材に電気的に結合された遠方端および第一近接操作器材への電気的結合用に構成された近接端を持つ導体を有することを特徴とするカテーテルアセンブリ。
【請求項２１】  遠方操作器材はカテーテル本体の遠方端に載置された前方監視超音波トランスジューサ器材を有することを特徴とする請求項２０に記載のカテーテルアセンブリ。
【請求項２２】  更に、カテーテル本体内に配置され、近接端と遠方端を持ちカテーテル本体に対して回転可能である駆動ケーブルと、
駆動ケーブルの遠方端に載置された回転式遠方操作器材と、
駆動ケーブル内部に配置され、回転式操作器材に電気的に結合された遠方端および第二近接操作器材への電気的結合用に構成された近接端を持つ導体を有することを特徴とする請求項２２に記載のカテーテルアセンブリ。
【請求項２３】  回転式遠方操作器材は回転式超音波トランスジューサ器材を含むことを特徴とする請求項２２に記載のカテーテルアセンブリ。
【請求項２４】  近接端および遠方端を持つ細長いカテーテル本体と、
細長いカテーテル本体上に配置された複数の非回転式遠方操作器材と、
カテーテル本体の長手方向に実質的に沿った外壁内に突出され、それぞれ複数の非回転式遠方操作器材に電気的に結合された遠方端およびそれぞれ少なくとも一つの近接操作器材に電気的に結合されるように構成された近接端を持つ複数の導体を有することを特徴とするカテーテルアセンブリ。
【請求項２５】  複数の非回転式遠方操作器材はカテーテル本体の遠方端に載置された切除器材を有することを特徴とする請求項２４に記載のカテーテルアセンブリ。
【請求項２６】  更に、カテーテル本体内に配置され、近接端と遠方端を持ちおよびカテーテル本体に対して回転可能である駆動ケーブルと、
駆動ケーブルの遠方端に載置された回転式遠方操作器材と、
駆動ケーブル内部に配置され、前記回転式操作器材に電気的に結合された遠方端および近接操作器材への電気的結合用に構成された近接端を持つ導体を有することを特徴とする請求項２４に記載のカテーテルアセンブリ。
【請求項２７】  回転式遠方操作器材は回転式超音波トランスジューサ器材を有することを特徴とする請求項２６に記載のカテーテルアセンブリ。
【請求項２８】  近接端および遠方端を持つ細長いカテーテル本体と、
細長いカテーテル本体上に配置された遠方操作器材と、
実質的にカテーテル本体の全長内に埋め込まれ、遠方操作器材に電気的に結合された遠方端および第一近接操作器材への電気的結合用に構成された近接端を持つ導体を有することを特徴とするカテーテルアセンブリ。
【請求項２９】  遠方操作器材は非回転式であることを特徴とする請求項２８に記載のカテーテルアセンブリ。
【請求項３０】  導体は伝送路であることを特徴とする請求項２８に記載のカテーテルアセンブリ。
【請求項３１】  伝送路は少なくとも一本の電線およびカテーテル本体を有することを特徴とする請求項３０に記載のカテーテルアセンブリ。
【請求項３２】  遠方操作器材はカテーテル本体の遠方端に載置された前方監視超音波トランスジューサ器材を有することを特徴とする請求項２８に記載のカテーテルアセンブリ。
【請求項３３】  更に、カテーテル本体内に配置され、近接端と遠方端を持ちおよびカテーテル本体に対して回転可能である駆動ケーブルと、
駆動ケーブルの遠方端に載置された回転式遠方操作器材と、
駆動ケーブル内部に配置され、前記回転式操作器材に電気的に結合された遠方端および近接操作器材への電気的結合用に構成された第二近接端を持つ導体を有することを特徴とする請求項３０に記載のカテーテルアセンブリ。
【請求項３４】  回転式遠方操作器材は回転式超音波トランスジューサ器材を有することを特徴とする請求項３５に記載のカテーテルアセンブリ。
【請求項３５】  近接端および遠方端を持つ細長いカテーテル本体と、
細長いカテーテル本体上に配置された複数の非回転式遠方操作器材と、
実質的にカテーテル本体の全長内に埋め込まれ、それぞれ複数の非回転式遠方操作器材に電気的に結合された遠方端およびそれぞれ少なくとも一つの近接操作器材に電気的に結合されるように構成された近接端を持つ複数の導体を有することを特徴とするカテーテルアセンブリ。
【請求項３６】  複数の非回転式遠方操作器材はカテーテル本体の遠方端に載置された切除器材を有することを特徴とする請求項３５に記載のカテーテルアセンブリ。
【請求項３７】  複数の非回転式遠方操作器材はそれぞれフェーズドアレイを形成するために、細長いカテーテル本体の周りに周辺を囲むように間隔をおいて配置された複数のトランスジューサ器材を有することを特徴とする請求項３５に記載のカテーテルアセンブリ。
【請求項３８】  更に、カテーテル本体内に配置され近接端と遠方端を持ちおよびカテーテル本体に対して回転可能である駆動ケーブルと、
駆動ケーブルの遠方端に載置された回転式遠方操作器材と、
駆動ケーブル内部に配置され、前記回転式操作器材に電気的に結合された遠方端および近接操作器材への電気的結合用に構成された近接端を持つ導体を有することを特徴とする請求項３７に記載のカテーテルアセンブリ。
【請求項３９】  回転式遠方操作器材は回転式超音波トランスジューサ器材を有することを特徴とする請求項３８に記載のカテーテルアセンブリ。
【請求項４０】  近接端および遠方端を持つ細長いカテーテル本体と、
前記カテーテル本体中に配置され、近接端および遠方端を有し前記カテーテル本体に関して回転式である駆動ケーブルと、
前記駆動ケーブルの遠方端に配置された操作器材と、
前記カテーテル本体内の遠方端近傍に配置され、第一電気伝導コイルを有したステーターと、
前記駆動ケーブルの遠方端近傍に配置され、および前記操作器材と電気的に連通し、前記空洞シリンダー内に回転式に配置され第二電気伝導コイルを有するローターとを有し、前記ステーターとローターは誘導結合器を形成し、
第一および第二電気伝導コイル間の捲き数比は導体から誘導結合器を見た入力インピーダンスが導体の特性インピーダンスと実質的に等しいように選択されるカテーテルアセンブリ。
【請求項４１】  近接端および遠方端を持つ細長いカテーテル本体と、
前記カテーテル本体に配置された遠方操作器材と、
前記カテーテル本体内に埋め込まれ特性インピーダンスを有する信号電線を形成し、前記遠方操作器材に電気的に連結された遠方端と第一近位操作器材に電気的に連結するように構成された近位端を有する一対の導体とを有し、
前記信号伝染の特性インピーダンスの値は前記一対の導体間の間隔、前記一対の導体それぞれの直径及び前記カテーテル本体の媒体の有効比誘電率から選択されるカテーテルアセンブリ。
【請求項４２】  前記導体は前記カテーテル本体の全長内に実質的に埋め込まれている請求項４１記載のカテーテルアセンブリ。